(57)【要約】【課題】携帯オーディオ端末と連携して楽曲の再生を行う場合に以前の再生状態に簡単な操作で戻すことができるオーディオ装置を提供すること。【解決手段】車載オーディオ装置１００は、利用者の選曲操作にしたがって再生リストを作成する選曲処理部１１１と、再生リストを携帯オーディオ端末２００に送って再生順番を指定する再生順番指定部１１２と、携帯オーディオ端末２００が保持する再生リストにしたがって再生対象となる楽曲のオーディオデータを携帯オーディオ端末２００から読み出して再生する再生処理部１１３、オーディオ処理部１３０と、携帯オーディオ端末２００が保持する再生リストと車載オーディオ装置１００が保持する再生リストを比較する再生リスト比較部１１４と、再生リストが相違し、利用者が所定の操作をしたときに、車載オーディオ装置１００側の再生リストにしたがった楽曲再生を再生処理部１１３に指示する再生復帰処理部１１６とを備える。【選択図】図２
2019120898.tif 000002
【特許請求の範囲】
【請求項１】
接続されている携帯オーディオ端末に格納された複数の楽曲に対応するオーディオデータを再生リストにしたがって読み出して楽曲の再生を行うオーディオ装置であって、
利用者の選曲操作にしたがって、再生対象となる複数の楽曲を選択して楽曲の再生順番を指定する再生リストを作成する選曲手段と、
前記再生リストを第１の再生リストとして前記選曲操作の手順とともに保持する選曲操作手順・再生リスト保持手段と、
前記選曲手段によって作成された前記再生リストを前記携帯オーディオ端末に送って、再生対象となる楽曲の再生順番を指定する再生順番指定手段と、
利用者によって楽曲の再生指示がなされたときに、前記携帯オーディオ端末が保持する再生リストにしたがって再生対象となる楽曲のオーディオデータを前記携帯オーディオ端末から読み出して再生する再生手段と、
前記携帯オーディオ端末が保持する再生リストとしての第２の再生リストと、前記選曲操作手順・再生リスト保持手段が保持する前記第１の再生リストとを比較し、これら２つの再生リストの異同を判定する再生リスト比較手段と、
前記第２の再生リストが前記第１の再生リストと相違している旨の判定が行われたときであって、利用者による所定の操作が行われたときに、前記第１の再生リストにしたがった楽曲の再生を前記再生手段に指示する再生復帰手段と、
を備えることを特徴とするオーディオ装置。
【請求項２】
前記第２の再生リストが前記第１の再生リストと相違している旨の判定が行われたときにその旨を通知する再生リスト変更通知手段をさらに備えることを特徴とする請求項１に記載のオーディオ装置。
【請求項３】
前記再生リスト変更通知手段による通知には、前記選曲操作手順・再生リスト保持手段によって保持されている前記選曲操作の手順が含まれていることを特徴とする請求項２に記載のオーディオ装置。
【請求項４】
前記再生リスト比較手段は、前記携帯オーディオ端末の接続が維持された状態で前記第１および第２の再生リストの比較を繰り返し行うことを特徴とする請求項１〜３のいずれか一項に記載のオーディオ装置。
【請求項５】
前記再生リスト比較手段は、前記携帯オーディオ端末の接続が解除された後であって再接続されたときに前記第１および第２の再生リストの比較を行うことを特徴とする請求項１〜３のいずれか一項に記載のオーディオ装置。
【請求項６】
前記選曲手段は、使用者の再度の選曲操作にしたがって前記第１の再生リストとは異なる第３の再生リストを作成し、
前記再生順番指定手段は、前記選曲手段によって作成された前記第３の再生リストを前記携帯オーディオ端末に送って、再生対象となる楽曲の再生順番を指定し、
前記再生手段は、利用者によって楽曲の再生指示がなされたときに、前記携帯オーディオ端末が保持する前記第３の再生リストにしたがって再生対象となる楽曲のオーディオデータを前記携帯オーディオ端末から読み出して再生し、
前記再生復帰手段は、前記第３の再生リストにしたがって前記再生手段による再生が行われているときであって、利用者による所定の操作が行われたときに、前記第１の再生リストにしたがった楽曲の再生を前記再生手段に指示することを特徴とする請求項１〜３のいずれか一項に記載のオーディオ装置。
【請求項７】
前記所定の操作は、１回の操作であることを特徴とする請求項１〜６のいずれか一項に記載のオーディオ装置。
【発明の詳細な説明】
【技術分野】
【０００１】
本発明は、車両等に搭載されて、携帯オーディオ装置に蓄積されたオーディオデータを再生するオーディオ装置に関する。
【背景技術】
【０００２】
従来から、楽曲の属性の条件をフィルタ条件として用いてポータブルオーディオプレイヤに楽曲の再生リストを作成させるとともにこのフィルタ条件を保持し、ポータブルオーディオプレイヤが接続されたときにこの再生リストの取得を試み、再生リストを取得できなかったときに、保持しておいたフィルタ条件を用いて再生リストを作成するようにしたオーディオ装置が知られている（例えば、特許文献１参照。）。このオーディオ装置では、ポータブルオーディオプレイヤが接続されたときにこのポータブルオーディオプレイヤから再生リストを取得して、ポータブルオーディオプレイヤが保持する再生リストの再生を再開させることが可能となる。
【先行技術文献】
【特許文献】
【０００３】
【特許文献１】特開２０１２−１６９００５号公報
【発明の概要】
【発明が解決しようとする課題】
【０００４】
ところで、上述した特許文献１に開示されたオーディオ装置では、ポータブルオーディオプレイヤから再生リストを取得することができた場合には、オーディオ装置はこの再生リストにしたがって楽曲の再生を行う。このため、接続中に何らかの原因によりポータブルオーディオプレイヤの再生リストが変更されてしまった場合であって、利用者が変更前の再生リストの内容での再生継続を希望する場合には、楽曲の選曲操作をやり直す必要があり、操作が煩雑になるという問題があった。例えば、利用者がポータブルオーディオプレイヤの操作を誤って、楽曲の再生を行う音楽アプリを終了させてしまって再度音楽アプリを起動したときにデフォルトの初期状態として全曲対象の再生が開始される場合が考えられる。何らかの原因により音楽アプリの実行が強制的に終了してしまって再度音楽アプリを起動した場合も同様である。
【０００５】
また、接続を解除した状態でポータブルオーディオプレイヤの再生リストが利用者の操作によって変更された場合には、次にオーディオ装置にポータブルオーディオプレイヤを接続して楽曲の再生を行うと、変更された再生リストを用いた楽曲の再生を行うことになるが、利用者が元の再生リストを用いて楽曲の再生を行おうとすると、元の再生リストで楽曲再生を行うために再度一連の選曲操作を行う必要があり、やはり操作が煩雑になるという問題があった。
【０００６】
さらに、上述した再生リストの変更に伴う操作の煩雑さは、ポータブルオーディオプレイヤ側の原因によって再生リストが変更された場合だけでなく、オーディオ装置側で再生リストが変更された場合も同じである。例えば、ジャンルやアーティスト、アルバムなどを指定する一連の選曲操作を行って作成された再生リストにしたがって楽曲の再生を開始した後、同様の手順を繰り返して作成された別の再生リストにしたがって楽曲の再生を開始したが、この楽曲が利用者の好みに合わない等の理由により最初の再生リストに戻って再生を行いたい場合がある。このような場合に最初の再生リストを作成した一連の操作をやり直す必要があり、操作が煩雑になる。
【０００７】
本発明は、このような点に鑑みて創作されたものであり、その目的は、携帯オーディオ端末と連携して楽曲の再生を行う場合に以前の再生状態に簡単な操作で戻すことができるオーディオ装置を提供することにある。
【課題を解決するための手段】
【０００８】
上述した課題を解決するために、本発明のオーディオ装置は、接続されている携帯オーディオ端末に格納された複数の楽曲に対応するオーディオデータを再生リストにしたがって読み出して楽曲の再生を行うオーディオ装置であって、利用者の選曲操作にしたがって、再生対象となる複数の楽曲を選択して楽曲の再生順番を指定する再生リストを作成する選曲手段と、再生リストを第１の再生リストとして選曲操作の手順とともに保持する選曲操作手順・再生リスト保持手段と、選曲手段によって作成された再生リストを携帯オーディオ端末に送って、再生対象となる楽曲の再生順番を指定する再生順番指定手段と、利用者によって楽曲の再生指示がなされたときに、携帯オーディオ端末が保持する再生リストにしたがって再生対象となる楽曲のオーディオデータを携帯オーディオ端末から読み出して再生する再生手段と、携帯オーディオ端末が保持する再生リストとしての第２の再生リストと、選曲操作手順・再生リスト保持手段が保持する第１の再生リストとを比較し、これら２つの再生リストの異同を判定する再生リスト比較手段と、第２の再生リストが第１の再生リストと相違している旨の判定が行われたときであって、利用者による所定の操作が行われたときに、第１の再生リストにしたがった楽曲の再生を再生手段に指示する再生復帰手段とを備えている。これにより、携帯オーディオ端末の再生リストが変更された場合に、オーディオ装置において行われる簡単な所定の操作で、変更前の再生リストを用いた再生状態に戻すことが可能となる。特に、所定の操作を１回の操作とすることにより、最も簡単な操作で以前の再生状態に戻すことが可能となる。
【０００９】
また、上述した第２の再生リストが第１の再生リストと相違している旨の判定が行われたときにその旨を通知する再生リスト変更通知手段をさらに備えることが望ましい。これにより、再生リストが変更されたことを利用者が知ることができるため、通知を受けたタイミングで迅速に再生状態を変更することが可能となる。
【００１０】
また、上述した再生リスト変更通知手段による通知には、選曲操作手順・再生リスト保持手段によって保持されている選曲操作の手順が含まれていることが望ましい。これにより、元の再生状態に対応する再生リストの内容を知ることができる。
【００１１】
また、上述した再生リスト比較手段は、携帯オーディオ端末の接続が維持された状態で第１および第２の再生リストの比較を繰り返し行うことが望ましい。これにより、楽曲再生中に携帯オーディオ端末が誤操作されたり、何らかの異常により携帯オーディオ端末側で再生リストが変更された場合に、変更前の再生状態に容易に戻すことができる。
【００１２】
また、上述した再生リスト比較手段は、携帯オーディオ端末の接続が解除された後であって再接続されたときに第１および第２の再生リストの比較を行うことが望ましい。これにより、接続を解除した状態で携帯オーディオ端末の再生内容を変更した場合であっても、次にオーディオ装置に携帯オーディオ端末を接続した際に接続解除前の再生状態に容易に戻すことができる。
【００１３】
また、上述した選曲手段は、使用者の再度の選曲操作にしたがって第１の再生リストとは異なる第３の再生リストを作成し、再生順番指定手段は、選曲手段によって作成された第３の再生リストを携帯オーディオ端末に送って、再生対象となる楽曲の再生順番を指定し、再生手段は、利用者によって楽曲の再生指示がなされたときに、携帯オーディオ端末が保持する第３の再生リストにしたがって再生対象となる楽曲のオーディオデータを携帯オーディオ端末から読み出して再生し、再生復帰手段は、第３の再生リストにしたがって再生手段による再生が行われているときであって、利用者による所定の操作が行われたときに、第１の再生リストにしたがった楽曲の再生を再生手段に指示することが望ましい。これにより、オーディオ装置を用いた選曲操作を再度行って新たな再生リストが作成されて楽曲の再生が行われた場合であっても、簡単な操作により、元の再生リストにしたがった楽曲の再生状態に戻すことが可能になる。
【図面の簡単な説明】
【００１４】
【図１】一実施形態の車載用オーディオシステムの全体構成を示す図である。
【図２】車載オーディオ装置の構成を示す図である。
【図３】携帯オーディオ端末の構成を示す図である。
【図４】車載オーディオ装置において楽曲の再生を開始した後に第１および第２の再生リストの内容相違が生じた場合の動作手順を示す流れ図である。
【図５】車載オーディオ装置において楽曲の再生を開始した後に第１および第２の再生リストの内容相違が生じた場合の動作手順を示す流れ図である。
【図６】復帰情報と復帰ボタンの一例を示す図である。
【図７】楽曲再生中に携帯オーディオ端末側の再生リストが変更された場合の動作の概要を示す図である。
【図８】車載オーディオ装置による楽曲の再生後、一旦携帯オーディオ端末の接続を解除し、再接続を行って車載オーディオ装置による再生動作を再開する場合の動作の概要を示す図である。
【図９】車載オーディオ装置において複数回の選曲操作が行われた場合の動作の概要を示す図である。
【発明を実施するための形態】
【００１５】
以下、本発明のオーディオ装置を適用した一実施形態の車載用オーディオシステムについて、図面を参照しながら説明する。
【００１６】
図１は、一実施形態の車載用オーディオシステムの全体構成を示す図である。図１に示すように、本実施形態の車載用オーディオシステムは、相互に無線通信によって接続された車載オーディオ装置１００と携帯オーディオ端末２００とを含んで構成されている。例えば、これらの間を接続する無線通信としてはブルートゥース（登録商標）方式が用いられる。車載オーディオ装置１００は、携帯オーディオ端末２００から再生対象の楽曲に関する付属情報としての曲情報を取得することにより再生対象となる楽曲を選択する選曲処理を行うとともに、携帯オーディオ端末２００から送信される楽曲再生に必要なオーディオデータを受信して楽曲再生を行うことが可能となる。曲情報には、各楽曲の曲名、アーティスト名、アルバム名、ジャンルなどが含まれる。なお、車載オーディオ装置１００と携帯オーディオ端末２００との間の接続は、ブルートゥース以外の無線通信によって行ったり、ＵＳＢケーブルを介して行うなど他の方法を用いるようにしてもよい。
【００１７】
図２は、車載オーディオ装置１００の構成を示す図である。図２に示すように、車載オーディオ装置１００は、制御部１１０、通信インタフェース部（通信Ｉ／Ｆ）１２０、オーディオ処理部１３０、増幅器１３２、スピーカ１３４、表示処理部１４０、表示部１４２、操作部１５０、再生情報格納部１６０を備えている。この車載オーディオ装置１００としては、楽曲再生に関する機能のみを有する場合の他、車載ナビゲーション装置やラジオ受信機、地上波デジタル放送受信機等の機能を併せ持つ場合が考えられる。
【００１８】
制御部１１０は、車載オーディオ装置１００の全体を制御する。この制御部１１０は、ＣＰＵおよびＲＡＭ、ＲＯＭ等によって構成されており、所定のプログラムを実行することにより各種の動作を行う。制御部１１０の詳細については後述する。
【００１９】
通信インタフェース部１２０は、ブルートゥース方式によって携帯オーディオ端末２００との間で無線接続を行って各種データの送受信を行う通信装置（ブルートゥース機器）である。本実施形態では、ブルートゥース方式による無線通信に必要なハードウエアがこの通信インタフェース部１２０によって実現され、ソフトウエアが制御部１１０によって実現されている。
【００２０】
オーディオ処理部１３０は、携帯オーディオ端末２００から送られてきたオーディオデータを用いて楽曲再生を行うためのものであり、データ形式毎の音声復号処理等を行ってオーディオ信号を出力する。このオーディオ信号は、増幅器１３２によって増幅され、スピーカ１３４から出力される。なお、実際には、２チャンネルあるいはそれ以上のチャンネル数のオーディオ信号が再生されて出力されるが、図２に示す構成では、簡略化して１つの増幅器１３２と１つのスピーカ１３４が図示されている。
【００２１】
表示処理部１４０は、再生対象となる楽曲を選択する選曲処理を行う選曲画面や、再生中の楽曲に関する情報（曲情報）を表示するためのものであり、制御部１１０によって作成されたこれらの画像をＬＣＤ等の表示部１４２に表示する。操作部１５０は、利用者による選曲操作等の各種操作を受け付けるためのものであり、各種のスイッチや操作つまみ等が備わっている。本実施形態では、表示部１４２の画面に重ねて配置されるタッチパネルを用いて操作部１５０が構成されているものとする。また、リモートコントロールユニット等を用いて操作部１５０を構成するようにしてもよい。
【００２２】
再生情報格納部１６０は、携帯オーディオ端末２００から取得した曲情報（各楽曲の曲名、アーティスト名、アルバム名、ジャンルなど）や、曲情報を用いた選曲処理の結果作成された再生リストなど、広く楽曲の再生に必要な各種の情報を格納する。
【００２３】
次に、制御部１１０について説明する。図２に示すように、制御部１１０は、選曲処理部１１１、再生順番指定部１１２、再生処理部１１３、再生リスト比較部１１４、再生リスト変更通知部１１５、再生復帰処理部１１６を含んで構成されている。
【００２４】
選曲処理部１１１は、利用者の選曲操作にしたがって選曲処理を行い、再生対象となる複数の楽曲を選択して楽曲の再生順番を指定する再生リストを作成する。この選曲処理は、ジャンルやアーティスト名、アルバム名を順番に選択して選曲対象となる一連の楽曲を決定するためのものであり、ジャンルやアーティスト名などが選択肢に含まれる選曲画面が表示部１４２に表示された状態で、利用者が再生を希望するジャンル等を順番に選択することにより、最終的に再生対象となる複数の楽曲が決定され、これら複数の楽曲が含まれる再生リストが作成される。例えば、アーティスト名が選択された後一のアルバム名が選択されてこのアルバムに含まれる複数の楽曲が再生対象として決定されると、この選択されたアルバムに含まれる複数の楽曲とそれらの再生順番とが特定された再生リストが作成される。また、アーティスト名が選択されてこのアーティストに対応する全ての楽曲が再生対象として決定されると、この選択されたアーティストに対応する全ての楽曲とそれらの再生順番とが特定された再生リストが作成される。作成された再生リスト（第１の再生リスト）と、この再生リストの作成に至った選曲操作の手順とが、選曲処理部１１１によって再生情報格納部１６０に格納される。
【００２５】
再生順番指定部１１２は、選曲処理部１１１によって作成された再生リストを携帯オーディオ端末２００に送って、再生対象となる楽曲の再生順番を指定する。
【００２６】
再生処理部１１３は、選曲処理部１１１による選曲処理の後、利用者によって楽曲の再生指示がなされたときに、携帯オーディオ端末２００が保持する再生リストにしたがって、再生対象となる楽曲のオーディオデータを携帯オーディオ端末２００から読み出す。このオーディオデータは、オーディオ処理部１３０に入力され、対応する楽曲の再生が行われる。
【００２７】
再生リスト比較部１１４は、携帯オーディオ端末２００が保持する再生リスト（第２の再生リスト）と、再生情報格納部１６０に格納された再生リスト（第１の再生リスト）とを比較し、これら２つの再生リストの異同を判定する。
【００２８】
再生リスト変更通知部１１５は、再生リスト比較部１１４によって第２の再生リストが第１の再生リストと相違している旨の判定が行われたときにその旨を通知する。例えば、この通知は、表示部１４２に所定のメッセージを表示することにより行われ、このメッセージには、再生情報格納部１６０に格納されている、第１の再生リストの作成に至った「選曲操作の手順」が含まれている。
【００２９】
再生復帰処理部１１６は、再生リスト比較部１１４によって第２の再生リストが第１の再生リストと相違している旨の判定が行われたときであって、利用者による所定の操作（復帰操作）が行われたときに、第１の再生リストにしたがった楽曲の再生を再生処理部１１３に指示する。
【００３０】
上述した選曲部１１１が選曲手段に、再生情報格納部１６０が選曲操作手順・再生リスト保持手段に、再生順番指定部１１２が再生順番指定手段に、再生処理部１１３、オーディオ処理部１３０が再生手段に、再生リスト比較部１１４が再生リスト比較手段に、再生復帰処理部１１６が再生復帰手段に、再生リスト変更通知部１１５が再生リスト変更通知手段にそれぞれ対応する。
【００３１】
図３は、携帯オーディオ端末２００の構成を示す図である。図３に示すように、携帯オーディオ端末２００は、制御部２１０、通信インタフェース部（通信Ｉ／Ｆ）２２０、オーディオ処理部２３０、増幅器２３２、スピーカ２３４、表示処理部２４０、表示部２４２、操作部２５０、楽曲格納部２６０を備えている。
【００３２】
制御部２１０は、携帯オーディオ端末２００全体を制御する。この制御部２１０は、ＣＰＵおよびＲＡＭ、ＲＯＭ等によって構成されており、所定のプログラムを実行することにより各種の動作を行う。
【００３３】
通信インタフェース部２２０は、ブルートゥース方式によって車載オーディオ装置１００との間で無線接続を行って各種データの送受信を行う通信装置である。本実施形態では、ブルートゥース方式による無線通信に必要なハードウエアがこの通信インタフェース部２２０によって実現され、ソフトウエアが制御部２１０によって実現されている。
【００３４】
オーディオ処理部２３０は、楽曲格納部２６０に記憶されているオーディオデータを再生するためのものであり、データ形式毎の音声復号処理等を行ってオーディオ信号を出力する。このオーディオ信号は、増幅器２３２によって増幅され、スピーカ２３４から、あるいはスピーカ２３４の代わりに接続されたイヤホン（図示せず）から出力される。
【００３５】
表示処理部２４０は、車載オーディオ装置１００から送られてくる再生リストの内容を表示したり、再生対象となる楽曲を選択する選曲処理を行う選曲画面や、再生中の楽曲に関する情報（曲情報）を表示するためのものであり、制御部２１０によって作成されたこれらの画像をＬＣＤ等の表示部２４２に表示する。操作部２５０は、利用者による各種操作を受け付けるためのものであり、各種のスイッチや操作つまみ等が備わっている。なお、表示部２４２の画面に重ねて配置されるタッチパネルを用いて操作部２５０を構成するようにしてもよい。
【００３６】
楽曲格納部２６０は、複数の楽曲について、各楽曲の再生に必要なオーディオデータと、各楽曲の楽曲に関する付属情報としての曲情報（各楽曲の曲名、アーティスト名、アルバム名、ジャンルなど）を格納する。また、楽曲情報格納部２６０は、車載オーディオ装置１００から送られてくる再生リストや、携帯オーディオ端末２００において作成あるいは返送された再生リストを格納する。
【００３７】
ところで、携帯オーディオ端末２００は、単独で動作するオーディオプレーヤとしての機能を有しており、再生リスト（車載オーディオ装置１００から送られてくるものを用いる場合の他、携帯オーディオ端末２００において利用者の選曲操作に応じて作成、変更した再生リストを用いる場合がある）にしたがって、楽曲格納部２６０からオーディオデータを読み出してオーディオ処理部２３０に入力して楽曲の再生を行ったり、再生中の楽曲に対応する曲情報の内容を表示処理部２４０によって表示部２４２に表示することができる。
【００３８】
これに加えて、車載オーディオ装置１００と携帯オーディオ端末２００は互いに連係して動作する機能を有しており、車載オーディオ装置１００からの指示に応じて携帯オーディオ端末２００から各楽曲のオーディオデータや曲情報を車載オーディオ装置１００に送信し、車載オーディオ装置１００において楽曲の再生や曲情報の表示を行うことができる。この機能は、例えば、車載オーディオ装置１００および携帯オーディオ端末２００のそれぞれが、ブルートゥース端末の音楽フォルダのフォルダ構成（フォルダー名、トラック名などの曲情報）の取得に対応したＡＶＲＣＰｖｅｒ１．４に対応し、ブラウジング機能をサポートすることにより実現することができる。これにより、車載オーディオ装置１００の制御部１１０内の再生処理部１１３は、携帯オーディオ端末２００から各楽曲のオーディオデータを取得することが可能となる。
【００３９】
本実施形態の車載用オーディオシステムはこのような構成を有しており、次にその動作を説明する。
【００４０】
車載オーディオ装置２００において選曲操作を行って再生対象の楽曲を特定して再生開始が指示されたときに、車載オーディオ装置１００において作成された再生リストが携帯オーディオ端末２００に送られ、以後、携帯オーディオ端末２００から再生リストにしたがって送られてくるオーディオデータを受信して車載オーディオ装置１００において楽曲の再生が行われる。その後、携帯オーディオ端末２００が保持する再生リスト（第２の再生リスト）の内容が、車載オーディ装置１００が保持する再生リスト（第１の再生リスト）の内容と相違する事態が生じると、それ以後の車載オーディオ装置１００における楽曲の再生は、携帯オーディオ端末２００が保持する再生リスト（第２の再生リスト）の内容にしたがって行われることになるが、本実施形態では、このような第１および第２の再生リストの内容相違が利用者に通知されるとともに、簡単な操作で、以前のように第１の再生リストにしたがった再生動作に復帰することができる。
【００４１】
図４および図５は、車載オーディオ装置１００において楽曲の再生を開始した後に第１および第２の再生リストの内容相違が生じた場合の動作手順を示す流れ図である。
【００４２】
車載オーディ装置１００が起動されると、選曲処理部１１１は、携帯オーディオ端末２００が接続されているか否かを判定する（ステップ１００）。接続されていない場合には否定判断が行われ、この判定が繰り返される。また、携帯オーディオ端末２００が接続されている場合にはステップ１００の判定において肯定判断が行われる。
【００４３】
次に、選曲処理部１１１は、接続されている携帯オーディオ端末２００から、楽曲格納部２６０に格納されている曲情報（各楽曲の曲名、アーティスト名、アルバム名、ジャンルなど）を取得する（ステップ１０２）。
【００４４】
次に、選曲処理部１１１は、再生対象となる楽曲を選択する選曲操作が利用者によってなされたか否かを判定する（ステップ１０４）。例えば、この選曲操作は、利用者が操作部１５０を操作することにより、ジャンル、アーティスト名、アルバム名を順番に選択して行われる。選曲操作が行われない場合にはステップ１０４の判定において否定判断が行われ、この判定が繰り返される。また、選曲操作が行われた場合にはステップ１０４の判定において肯定判断が行われる。
【００４５】
次に、選曲処理部１１１は、利用者の選曲操作に対応する選曲処理を行い（ステップ１０６）、再生対象となる複数の楽曲とその再生順番が少なくとも含まれる再生リストを作成する（ステップ１０８）。作成された再生リスト（再生対象となる複数の楽曲のリスト）は、表示部１４２に表示される。
【００４６】
次に、再生処理部１１３は、利用者によって再生リストで示された楽曲の再生が指示されたか否かを判定する（ステップ１１０）。指示がない場合には否定判断が行われ、この判定が繰り返される。また、操作部１５０を用いて利用者によって楽曲の再生が指示されるとステップ１１０の判定において肯定判断が行われる。
【００４７】
次に、再生順番指定部１１２は、選曲処理部１１１によって作成された再生リストを携帯オーディオ端末２００に送って再生リストの同期をとって、再生対象となる楽曲の再生順番を指定する（ステップ１１２）。また、選曲処理部１１１は、作成した再生リスト（第１の再生リスト）を、この再生リストを作成する際の選曲操作の手順とともに再生情報格納部１６０に格納する（ステップ１１４）。
【００４８】
その後、再生処理部１１３は、再生リストにしたがった順番で携帯オーディオ端末２００から送られてくるオーディオデータを受け取ってオーディオ処理部１３０に入力し、再生リストの順番で楽曲の再生を行う（ステップ１１６）。
【００４９】
このような再生動作と並行して、再生処理部１１３は、携帯オーディオ端末２００との間の接続が解除されたか否かを判定する（ステップ１１８）。接続が解除されない場合には否定判断が行われる。次に、選曲処理部１１１は、次の選曲操作が行われたか否かを判定する（ステップ１２０）。ここで、「次の選曲操作」とは、その時点における再生リストとは内容が異なる再生リストが作成されるような楽曲を選択するための選択操作の意味である。例えば、あるアルバムに対応する複数の楽曲が含まれる再生リストにしたがった楽曲再生が行われているときに、これら複数の楽曲以外の楽曲の再生を希望する利用者が、新たにジャンルやアーティスト名などを選択する操作が次の選曲操作に該当する。次の選曲操作が行われない場合にはステップ１２０の判定において否定判断が行われる。
【００５０】
次に、再生リスト比較部１１４は、その時点で携帯オーディオ端末２００が保持している再生リスト（第２の再生リスト）と、ステップ１１４において再生情報格納部１６０に格納された再生リスト（第１の再生リスト）とを比較し（ステップ１２２）、同じであるか否かを判定する（ステップ１２４）。同じである場合には肯定判断が行われ、ステップ１１６に戻って楽曲の再生動作が継続される。また、第１および第２の再生リストが異なる場合（例えば、利用者の誤操作等により携帯オーディオ端末２００側の再生リストが変更あるいはデフォルト状態にリセットされた場合など）にはステップ１２４の判定において否定判断が行われる。
【００５１】
次に、再生リスト変更通知部１１５は、第１および第２の再生リストの内容が相違している旨の通知として、例えば、再生情報格納部１６０に格納されている、復帰情報としての「選曲操作の手順」と、復帰ボタンとを表示する（ステップ１２６）。
【００５２】
図６は、復帰情報と復帰ボタンの一例を示す図である。図６において、Ｒは復帰情報の通知であることを示す所定のマークを示している。また、Ｍは復帰情報としての「選曲操作の手順」であり、この例の「Ｒｏｃｋ→Ａｌｂｕｍ２→Ｔｒａｃｋ２−１」は、最初にジャンルとして「Ｒｏｃｋ」が選択され、次にアルバム名として「Ａｌｂｕｍ２」が選択され、最後にこのアルバム内の「Ｔｒａｃｋ２−１」の楽曲が選択されたことを示している。この復帰情報を見ることにより、利用者は、前回の選曲操作の内容を思い出すことができる。また、Ｂは復帰ボタンを示している。この復帰ボタンを選択（タッチパネルの場合には押下）することにより、復帰情報Ｍで示された各段階での選択操作を自動的に（利用者が実際に操作部１５０を操作することなく）実行することが可能となる。これらのマークＲ、復帰情報Ｍ、復帰ボタンＢは、再生中の楽曲の再生画面に重ねて表示される。
【００５３】
次に、復帰処理部１１６は、復帰ボタンＢが利用者によって押下（タッチパネルの場合）されたか否かを判定する（ステップ１２８）。押下されない場合には否定判断が行われ、ステップ１１６に戻って楽曲の再生動作が継続される。また、復帰ボタンＢが押下された場合にはステップ１２８の判定において肯定判断が行われる。この場合には、復帰処理部１１６は、復帰情報Ｍで示された各段階での選択操作と同等の処理（復帰処理）を行い、車載オーディオ装置１００が保持している第１の再生リストにしたがった楽曲の再生を再生処理部１１３に指示する（ステップ１３０）。以後、ステップ１１２に戻って再生リストの同期処理以降の処理が繰り返される。
【００５４】
また、携帯オーディオ端末２００との間の接続状態が解除された場合にはステップ１１８の判定において肯定判断が行われる。次に、再生処理部１１３は、楽曲の再生動作を中断する（ステップ１３２）。次に、再生リスト比較部１１４は、携帯オーディオ端末２００との接続が再開されたか否かを判定する（ステップ１３４）。接続が切断された状態を維持している場合には否定判断が行われ、ステップ１３２に戻って楽曲の再生動作の中断状態が継続される。また、携帯オーディオ端末２００が再接続された場合にはステップ１３４の判定において肯定判断が行われる。この場合にはステップ１２２に移行し、再生リストの比較動作以降が繰り返される。携帯オーディオ端末２００の接続が解除されてから再接続されるまでの間に、利用者がその時点の再生リストに含まれない楽曲を聴きたくなって新たな選曲操作を行ったり、誤って再生リストの初期化を行ったりして、携帯オーディオ端末２００において再生リストが変更されると、ステップ１２４の再生リストの異同判定において否定判断が行われることになり、さらにステップ１２６の復帰情報と復帰ボタンを表示する動作が行われることになる。
【００５５】
また、「次の選曲操作」が行われた場合にはステップ１２０の判定において肯定判断が行われる。この場合には、選曲処理部１１１は、利用者の新たな選曲操作に対応する選曲処理を行い（ステップ１３６）、再生対象となる複数の楽曲とその再生順番が少なくとも含まれる新たな再生リスト（第３の再生リスト）を作成する（ステップ１３８）。作成された再生リストは、表示部１４２に表示される。
【００５６】
次に、再生処理部１１３は、利用者によって新たな再生リストで示された楽曲の再生が指示されたか否かを判定する（ステップ１４０）。指示がない場合には否定判断が行われ、この判定が繰り返される。また、操作部１５０を用いて利用者によって楽曲の再生が指示されるとステップ１４０の判定において肯定判断が行われる。
【００５７】
次に、再生順番指定部１１２は、選曲処理部１１１によって作成された新たな再生リストを携帯オーディオ端末２００に送って再生リストの同期をとって、再生対象となる新たな楽曲の再生順番を指定する（ステップ１４２）。また、選曲処理部１１１は、１つ前の再生リスト（第１の再生リスト）とこれに対応する選曲操作の手順を退避（例えば、再生情報格納部１６０の退避領域に格納する）するとともに（ステップ１４４）、今回新たに作成した再生リスト（第３の再生リスト）を、この新たな再生リストを作成する際の選曲操作の手順とともに再生情報格納部１６０に格納する（ステップ１４６）。
【００５８】
次に、再生リスト比較部１１４は、その時点で携帯オーディオ端末２００が保持している再生リスト（第２の再生リスト）と、ステップ１４６において再生情報格納部１６０に新たに格納された再生リスト（第３の再生リスト）とを比較し（ステップ１４８）、同じであるか否かを判定する（ステップ１５０）。同じである場合には肯定判断が行われ、再生リスト変更通知部１１５は、ステップ１４４において退避した第１の再生リストを用いた再生動作に復帰するための復帰情報としての「選曲操作の手順」と、復帰ボタンとを表示する（ステップ１５２）。これらの「選曲操作の手順」と復帰ボタンは、ステップ１２６で表示される「選曲操作の手順」と復帰ボタンと異なる表示態様で表示することが望ましい。その後、ステップ１２６に移行して復帰ボタンの押下判定が行われる。そして、復帰ボタンが押下された場合には、第３の再生リストにしたがった楽曲の再生動作から元の第１の再生リストにしたがった楽曲の再生動作に復帰する。
【００５９】
また、第２の再生リストと第３の再生リストの内容が相違する場合（携帯オーディオ端末２００において再生リストが変更されたり初期化された場合など）にはステップ１５０の判定において否定判断が行われる。この場合にはステップ１２６に移行し、新たに作成された第３の再生リストにしたがった楽曲の再生動作に復帰するための一連の処理が行われる。
【００６０】
図７は、楽曲再生中に携帯オーディオ端末２００側の再生リストが変更された場合の動作の概要を示す図である。
【００６１】
利用者が「Ａｌｂｕｍ１」を聴くために選曲操作を行うと、車載オーディオ装置１００と携帯オーディオ端末２００との間で再生リストが同期し、楽曲の再生が開始される。その後、例えば携帯オーディオ端末２００側において再生リストが初期化されると、この初期化された再生リストにしたがって楽曲の再生が継続される。この場合に、車載オーディオ装置１００で保持されている再生リスト（第１の再生リスト）と携帯オーディオ端末２００で保持されている再生リスト（第２の再生リスト）とが相違することになるため、車載オーディオ装置１００において復帰ボタンが表示され、この復帰ボタンが利用者によって押下されると元の第１の再生リストにしたがった楽曲の再生動作に復帰することができる。
【００６２】
図８は、車載オーディオ装置１００による楽曲の再生後、一旦携帯オーディオ端末２００の接続を解除し、再接続を行って車載オーディオ装置１００による再生動作を再開する場合の動作の概要を示す図である。
【００６３】
車内では、利用者によってジャンル「Ｒｏｃｋ」、アルバム「Ａｌｂｕｍ２」が選択されて車載オーディオ装置１００における楽曲の再生が行われ、家に帰ってからは、ジャンル「Ｃｌａｓｓｉｃ」、アルバム「Ａｌｂｕｍ１」が選択されて携帯オーディオ端末２００における楽曲の再生が行われる。この場合に、再度携帯オーディオ端末２００を車載オーディオ装置１００に接続すると、接続解除前に車載オーディオ装置１００が保持していた再生リスト（Ａｌｂｕｍ２に対応する第１の再生リスト）と、接続再開後に携帯オーディオ端末２００が保持している再生リスト（Ａｌｂｕｍ１に対応する第２の再生リスト）とが相違することになるため、車載オーディオ装置１００において復帰ボタンが表示され、この復帰ボタンが利用者によって押下されると元の第１の再生リストにしたがった楽曲の再生動作に復帰することができる。
【００６４】
図９は、車載オーディオ装置１００において複数回の選曲操作が行われた場合の動作の概要を示す図である。
【００６５】
利用者が「Ａｌｂｕｍ１」を聴くために選曲操作を行ってこのＡｌｂｕｍ１の楽曲を再生中に、利用者は、別の「Ａｌｂｕｍ１」を聴くために新たな選曲操作を行うものとする。このような選曲操作に対応して再生リストが第１の再生リストから第３の再生リストに変更され、これらの内容が相違することになるため、車載オーディオ装置１００において復帰ボタンが表示され、この復帰ボタンが利用者によって押下されると１つ前の選曲操作に対応した第１の再生リストにしたがった楽曲の再生動作に復帰することができる。
【００６６】
このように、本実施形態の車載オーディオ装置１００では、携帯オーディオ端末２００の再生リストが変更された場合に、車載オーディオ装置１００において行われる簡単な所定の操作で、変更前の再生リストを用いた再生状態に戻すことが可能となる。特に、所定の操作を１回の操作（復帰ボタンの押下）とすることにより、最も簡単な操作で以前の再生状態に戻すことが可能となる。
【００６７】
また、携帯オーディオ端末２００側の再生リスト（第２の再生リスト）が車載オーディオ装置１００側の再生リスト（第１の再生リスト）と相違している場合にその旨を通知することにより、再生リストが変更されたことを利用者が知ることができるため、通知を受けたタイミングで迅速に再生状態を変更することが可能となる。特に、この通知に、最初の再生リストによる楽曲再生を再現するための「選曲操作の手順」を含ませることにより、元の再生リストの内容を知ることができる。
【００６８】
また、携帯オーディオ端末２００の接続が維持された状態で第１および第２の再生リストの比較（ステップ１２２の比較動作）を繰り返し行うことにより、楽曲再生中に携帯オーディオ端末２００が誤操作されたり、何らかの異常により携帯オーディオ端末２００側で再生リストが変更された場合に、変更前の再生状態に容易に戻すことができる。
【００６９】
また、携帯オーディオ端末２００の接続が解除された後であって再接続されたとき（ステップ１３４で肯定判断）に第１および第２の再生リストの比較を行うことにより、接続を解除した状態で携帯オーディオ端末２００の再生内容を変更した場合であっても、次に車載オーディオ装置１００に携帯オーディオ端末２００を接続した際に接続解除前の再生状態に容易に戻すことができる。
【００７０】
また、車載オーディオ装置１００を用いた選曲操作を再度行って新たな再生リストが作成されて楽曲の再生（ステップ１５２、１２８経由でステップ１１６において楽曲再生）が行われた場合であっても、簡単な操作により、元の再生リストにしたがった楽曲の再生状態に戻すことが可能になる。
【００７１】
なお、本発明は上記実施形態に限定されるものではなく、本発明の要旨の範囲内において種々の変形実施が可能である。例えば、上述した実施形態では、車載オーディオ装置１００において本発明を適用したが、家庭等の屋内で使用する据え置き型のオーディオ装置やパーソナルコンピュータ等を用いたオーディオ装置などに本発明を適用してもよい。
【００７２】
また、上述した実施形態では、車載オーディオ装置１００において２回の選曲操作を行って再生リストの内容が変更されたときに、最初の再生リストにしたがった楽曲再生に復帰する場合について説明したが、３回以上の選曲操作を行って再生リストが２回以上変更された場合に、２回以上前の再生リストにしたがった楽曲再生に復帰できるようにしてもよい。それぞれの選曲操作（再生リスト）ごとに再生リストと復帰情報を退避し、それぞれに対応する復帰ボタン等を表示すればよい。
【産業上の利用可能性】
【００７３】
上述したように、本発明によれば、携帯オーディオ端末の再生リストが変更された場合に、オーディオ装置において行われる簡単な所定の操作で、変更前の再生リストを用いた再生状態に戻すことが可能となる。
【符号の説明】
【００７４】
１００  車載オーディオ装置
１１０、２１０  制御部
１１１  選曲処理部
１１２  再生順番指定部
１１３  再生処理部
１１４  再生リスト比較部
１１５  再生リスト変更通知部
１１６  再生復帰処理部
１２０、２２０  通信インタフェース部（通信Ｉ／Ｆ）
１３０、２３０  オーディオ処理部
１４０、２４０  表示処理部
１４２、２４２  表示部
１５０、２５０  操作部
１６０  再生情報格納部
２００  携帯オーディオ端末
２６０  楽曲格納部
【図１】
2019120898.tif 000003
【図２】
2019120898.tif 000004
【図３】
2019120898.tif 000005
【図４】
2019120898.tif 000006
【図５】
2019120898.tif 000007
【図６】
2019120898.tif 000008
【図７】
2019120898.tif 000009
【図８】
2019120898.tif 000010
【図９】
2019120898.tif 000011